(57)【要約】【課題】プレートを再利用できる免震装置台座の施工方法を提供する。【解決手段】構造物の基礎部３４にコンクリート打設用の型枠２４を組み立て、連結部材となる袋ナット２６を型枠２４の内部に設置する。そして、袋ナット２６にプレート２８を取り付ける（図２（Ａ））。プレート２８は鋼板でリング状に形成され、袋ナット２６の位置に貫通孔３８が設けられている。プレート２８は、免震装置４０が設置される免震装置台座１０の頂面に水平に設置され、上面が免震装置４０の設置高さとされている。次に、型枠２４の内部へ、プレート２８の上面と面一となる高さまでコンクリート３０を打設する（図２（Ｂ））。次に、コンクリート３０の硬化後、コンクリート３０からプレート２８を取り外す（図２（Ｃ））。最後に、プレート２８を取り外した後の環状の凹部４２にモルタル３２を充填し、上面を平坦に仕上げる。【選択図】図２
2011140846.tif 000002
【特許請求の範囲】
【請求項１】
構造物の基礎部に、免震装置を設置する台座の型枠を組み立てる工程と、
前記型枠内に、前記免震装置の連結部材を設置する工程と、
前記連結部材にリング状のプレートを取り付けて位置決めする工程と、
前記型枠内へ、前記プレートの表面と面一となるようにコンクリートを打設する工程と、
前記コンクリートの硬化後、該コンクリートから前記プレートを取り外す工程と、
前記プレートを取り外した後の環状の凹部をモルタルで平面に仕上げる工程と、
を有する免震装置台座施工方法。
【請求項２】
前記連結部材は、前記台座に埋め込まれる袋ナットであり、前記プレートは前記袋ナットにボルトで固定され位置決めされる請求項１に記載の免震装置台座施工方法。
【請求項３】
請求項１又は請求項２の免震装置台座施工方法で施工された台座の前記モルタルの上面に、前記免震装置を設置し、前記連結部材と連結した免震構造物。
【発明の詳細な説明】
【技術分野】
【０００１】
本発明は、免震装置台座施工方法及び免震構造物に関する。
【背景技術】
【０００２】
免震装置は、現場打ちコンクリートで構築された台座に設置されるのが一般的である。台座の頂面には、レベル調整された鋼板製のプレートが埋め込まれ、免震装置をプレートにボルト接合している。
【０００３】
しかし、現場で台座を構築する場合、先に、プレートを位置決めしておき、プレートの周囲から型枠内にコンクリートを打設する手順となる。このとき、コンクリート打設時に、プレートの中央部の底面に空気の巻き込みが発生し、プレートの底面とコンクリートの間に気泡による空隙が生じる場合がある。空隙が大きい場合には、免震装置の軸力を台座に伝達する際に、軸力の伝達が不確実になるという問題がある。
【０００４】
このため、プレートの底面とコンクリートの間に、気泡による空隙を生じさせない台座の施工方法が提案されている（特許文献１）。
【０００５】
特許文献１によれば、図１０に示すように、プレート８０は、鋼板でリング状に形成され、中央部にはコンクリート充填孔８６が設けられている。プレート８０の環状部には一定間隔でボルト取付け孔８４が設けられ、プレート８０の下面には、一定間隔でアンカーナット８２が接合されている（図１０（Ａ））。プレート８０は、コンクリート基礎９４に固定されたレベル調整装置８８で位置決めされる（図１０（Ｂ））。プレート８０の位置決め後、レベル調整装置８８の周囲を型枠（図示せず）で囲み、コンクリート充填孔８６からコンクリート９０を充填して台座９８を構築する。コンクリート９０はプレート８０の下面まで打設され、モルタル９１をプレート８０と面一まで塗布して仕上げられる。コンクリート９０、及びモルタル９１の硬化後に、免震装置９２をプレート８０に載せ、免震装置９２とプレート８０をボルト９６で固定する（図１０（Ｃ））。
【０００６】
このように、プレート８０をリング状とし、中央部のコンクリート充填孔８６からコンクリート９０を充填することにより、プレート８０の底面のコンクリート９０の流動性が確保され、プレート８０の底面とコンクリート９０の間の気泡による空隙の発生が抑制される。
【０００７】
しかし、引用文献１のプレート８０は、コンクリート９０及びモルタル９１の中に埋め込まれ、再利用できない。
【先行技術文献】
【特許文献】
【０００８】
【特許文献１】特開２００７−２７０４４３号公報
【発明の概要】
【発明が解決しようとする課題】
【０００９】
本発明は、上記事実に鑑み、プレートを再利用できる免震装置台座の施工方法を提供することを目的とする。
【課題を解決するための手段】
【００１０】
請求項1に記載の発明に係る免震装置台座施工方法は、構造物の基礎部に、免震装置を設置する台座の型枠を組み立てる工程と、前記型枠内に、前記免震装置の連結部材を設置する工程と、前記連結部材にリング状のプレートを取り付けて位置決めする工程と、前記型枠内へ、前記プレートの表面と面一となるようにコンクリートを打設する工程と、前記コンクリートの硬化後、該コンクリートから前記プレートを取り外す工程と、前記プレートを取り外した後の環状の凹部をモルタルで平面に仕上げる工程と、を有することを特徴としている。
【００１１】
このように、リング状とされたプレートを採用することで、プレートの中央部からコンクリートを充填することが可能となり、プレートの中央部もプレート表面に合わせて平滑に仕上げることができる。また、コンクリートの硬化後、台座からプレートを取り外すことでプレートの再利用が可能となる。
【００１２】
プレートを取り外した後の、台座に生じた環状の凹部の表面積は小さく、モルタルで平坦に仕上げるのが容易となる。また、凹部の表面に気泡による凹凸があっても、モルタルの上面は平坦に仕上げることができる。平坦に仕上げられたモルタルの上面に免震装置が設置される。
【００１３】
請求項２に記載の発明は、請求項１に記載の免震装置台座施工方法において、前記連結部材は、前記台座に埋め込まれる袋ナットであり、前記プレートは前記袋ナットにボルトで固定され位置決めされることを特徴としている。
【００１４】
これにより、袋ナットにプレートをボルト接合した状態でコンクリートを打設して台座を構築し、コンクリートが硬化した後、台座からプレートを取り外すことが可能となる。また、袋ナットを利用して、プレートを取り外した台座に免震装置をボルト接合できる。
【００１５】
請求項３に記載の免震構造物に係る発明は、請求項１又は請求項２の免震装置台座施工方法で施工された台座の、前記モルタルの上面に前記免震装置を設置し、前記連結部材と連結したことを特徴としている。
【００１６】
これにより、モルタルで平坦に仕上げられた台座に免震装置が設置された免震構造物を提供できる。
【発明の効果】
【００１７】
本発明は、上記構成としてあるので、プレートの再利用ができる。
【図面の簡単な説明】
【００１８】
【図１】本発明の第１の実施の形態に係る免震装置台座施工方法の施工工程を示すフロー図である。
【図２】本発明の第１の実施の形態に係る免震装置台座施工方法の工程別の施工内容を示す図である。
【図３】本発明の第１の実施の形態に係る免震装置台座施工方法の工程別の施工内容を示す図である。
【図４】本発明の第１の実施の形態に係る免震装置台座施工方法の施工工程の途中を示した図である。
【図５】本発明の第１の実施の形態に係る免震装置台座施工方法の施工工程の途中を示した図である。
【図６】本発明の第１の実施の形態に係る免震装置台座施工方法の施工工程の途中を示した図である。
【図７】本発明の第１の実施の形態に係る免震装置台座施工方法の施工工程の途中を示した図である。
【図８】本発明の第２の実施の形態に係る免震構造物における免震装置の設置方法を示した図である。
【図９】本発明の第２の実施の形態に係る免震構造物の基本構成を示した図である。
【図１０】従来例の免震装置台座施工方法の施工方法を示した図である。
【発明を実施するための形態】
【００１９】
（第１の実施の形態）
第１の実施の形態に係る免震装置台座施工方法は、図１に示す施工工程に従って免震装置台座１０が構築される。
【００２０】
先ず、台座用型枠組立工程１２を実行する。図２（Ａ）に示すように、台座用型枠組立工程１２は、構造物の基礎部３４の免震装置台座１０が構築される場所に、コンクリート打設用の型枠２４を組み立てる工程である。
【００２１】
型枠２４は、図４に示すように、免震装置台座１０が構築される周囲を、鋼板製若しくは木板製の型枠２４で囲む構成とされ、完成後、型枠２４の内部に上方からコンンクリート３０が打設される。
【００２２】
次に、連結部材設置工程１４を実行する。図２（Ａ）に示すように、連結部材設置工程１４は、連結部材となる袋ナット２６を、型枠２４の内部に設置する工程である。
袋ナット２６は、免震装置４０を免震装置台座１０に固定するために設けられ、上方から挿入される免震装置４０接合用のボルト３６と螺合される位置に固定される。
【００２３】
なお、施工段階において、リング状のプレート２８も仮設的に袋ナット２６に取付けられる。
次に、プレート位置決め工程１６を実行する。図２（Ａ）に示すように、プレート位置決め工程１６は、プレート２８の位置決めをし、袋ナット２６に取り付ける工程である。
【００２４】
プレート２８は、図４に示すように、鋼板でリング状に形成され、袋ナット２６の位置に対応させて貫通孔３８が設けられている。プレート２８は、免震装置４０が設置される免震装置台座１０の頂面に水平に設置され、上面が免震装置４０の設置高さに調整された後、貫通孔３８を利用して、袋ナット２６にボルト３６で接合される。
【００２５】
次に、コンクリート打設工程１８を実行する。図２（Ｂ）に示すように、コンクリート打設工程１８は、型枠２４の内部へ、プレート２８の表面と面一となる高さまでコンクリート３０を打設する。このとき、プレート２８はリング状とされており、プレート２８の中央部の底面に気泡による空隙が生じることはない。また、プレート２８の中央部からコンクリート３０を打設することが可能となり、プレート２８の中央部もプレート２８の表面に合わせて平滑に仕上げることができる。袋ナット２６は、位置決めされた状態でコンクリート３０に埋設される。
【００２６】
次に、プレート取り外し工程２０を実行する。図２（Ｃ）に示すように、プレート取り外し工程２０は、コンクリート３０の硬化後、コンクリート３０からプレート２８を取り外す工程である。
【００２７】
なお、図５に示すように、コンクリート３０からプレート２８を取り外す前に、構築された免震装置台座１０の周囲から型枠２４を取り外す。続いて、図６に示すように、袋ナット２６からボルト３６を外し、コンクリート３０からプレート２８を取り外す。これにより、プレート２８の再利用が可能となり、施工コストの低減が図れる。
【００２８】
次いで、モルタル仕上げ工程２２を実行する。図３（Ｄ）に示すように、モルタル仕上げ工程２２は、プレート２８を取り外した後の環状の凹部４２にモルタル３２を充填し、モルタル３２の上面を平坦に仕上げる工程である。モルタル３２の硬化により、免震装置台座１０が完成する。
【００２９】
図７に示すように、モルタル３２の充填にあたり、袋ナット２６の上には凹部４２の深さ分の延長部材４４を追加し、ボルト３６で固定しておく。このとき、プレート２８を取り外した後の、免震装置台座１０に生じた環状の凹部４２の表面積は小さく、モルタル３２の上面をコテで平坦に仕上げるのが容易となる。また、凹部４２の表面に気泡による凹凸が生じたとしても、モルタル３２の上面を平坦に仕上げるのに支障はない。
【００３０】
最後に、図３（Ｅ）に示すように、モルタル３２の硬化後、台免震装置台座１０のモルタル３２の上面に、免震装置４０を設置する。免震装置４０は、袋ナット２６を利用して、ボルト３６で接合される。
【００３１】
これにより、モルタル３２は平坦に仕上げられ、免震装置４０の設置精度が向上する。また、モルタル３２は免震装置台座１０として十分な強度を備えており、免震構造物の品質向上が図れる。
【００３２】
（第２の実施の形態）
第２の実施の形態に係る免震構造物５０は、図８に示すように、コンクリート製の免震装置台座１０に免震装置４０が設置されている。
【００３３】
免震装置台座１０は、第１の実施の形態で説明した免震装置台座施工方法で施工されている。即ち、位置決めに使用されたプレート２８は再利用が可能とされ、免震装置台座１０の頂面は、モルタル３２で平坦に仕上げられている。
【００３４】
これにより、図９に示すように、基礎部３４の上に、設置精度が高められると共にコスト低減が図られた免震装置台座１０が構築され、免震装置台座１０に免震装置４０が設置された免震構造物５０を提供できる。
【符号の説明】
【００３５】
１０  免震装置台座
１２  台座用型枠組立工程（台座の型枠を組み立てる工程）
１４  連結部材設置工程（連結部材を設置する工程）
１６  プレート位置決め工程（プレートを取り付けて位置決めする工程）
１８  コンクリート打設工程（コンクリートを打設する工程）
２０  プレート取外し工程（プレートを取り外す工程）
２２  モルタル仕上げ工程（モルタルで仕上げる工程）
２４  コンクリート型枠
２６  袋ナット（連結部材）
２８  プレート
３０  コンクリート
３２  モルタル
３４  基礎部
３６  ボルト
４０  免震装置
５０  免震構造物
【図１】
2011140846.tif 000003
【図２】
2011140846.tif 000004
【図３】
2011140846.tif 000005
【図４】
2011140846.tif 000006
【図５】
2011140846.tif 000007
【図６】
2011140846.tif 000008
【図７】
2011140846.tif 000009
【図８】
2011140846.tif 000010
【図９】
2011140846.tif 000011
【図１０】
2011140846.tif 000012